(57)【特許請求の範囲】
【請求項１】
画像表示手段を具えるユーザ端末と、該ユーザ端末と通信可能なサーバ装置とを有する情報処理システムであって、
前記サーバ装置は、前記ユーザ端末によって作成されるアカウント情報と、時間とともに増減する該アカウント情報に関係する関連情報と、前記アカウント情報の表示領域値を記憶するように構成され、
前記表示領域値は、前記関連情報の数値及び／又は内容によって加算及び減算されるように構成され、
前記アカウント情報の少なくとも１つが、前記画像表示手段により、前記ユーザ端末の画面領域に、前記表示領域値に応じた表示サイズを有する表示領域で表示されることを特徴とする、
情報処理システム。
【発明の詳細な説明】
【技術分野】
【０００１】
本発明は、情報処理システム及び情報処理方法に関し、特に、複数ユーザが使用するコミュニケーションツールにおける情報処理システム及び情報処理方法に関する。
【背景技術】
【０００２】
近年、インターネットの普及に伴い様々なコミュニケーションツールが開発されている。具体的には、電子掲示板を含むソーシャルネットワーキングサービス（以下、単に、「ＳＮＳ」という。）がある。ＳＮＳには、例えば、交流系日記型、交流系拡散型、メッセージチャット型、写真投稿型、動画投稿型があり、それぞれ、ユーザが投稿した内容が時系列で表示されるのが基本である。また、ユーザが投稿した内容を検索する機能や、新着順、投稿順、評価が多い順、コメント数に応じた順などで並べ替えて表示する機能、特定のユーザの投稿を上位に表示させる機能が具えられていることも多い。
【０００３】
また、ユーザが閲覧したウェブページ又はユーザが送受信した電子メールより嗜好データベースを構築し、ＳＮＳの新規投稿記事より投稿情報データベースを構築し、嗜好データベースと投稿情報データベースを用いて嗜好ポイントを算出し、嗜好ポイントの高い投稿記事を優先的に新着情報として表示するシステムも考案されている。（特許文献１）
【先行技術文献】
【特許文献】
【０００４】
【特許文献１】特開２００３−２５６４６４号公報
【発明の概要】
【発明が解決しようとする課題】
【０００５】
上記のとおり、ＳＮＳへの投稿を種々の順序で表示させることが提案されてきているが、いずれの順序で表示させた場合であっても、上位に位置する投稿が見易くなる一方で、下位に位置する投稿が見え難いという問題があり、この点で、一覧性に欠けるという課題がある。
【０００６】
そこで、本発明は、ＳＮＳにおける情報を俯瞰的に把握することができる情報処理システム及び情報処理方法を提供することをその目的とする。
【課題を解決するための手段】
【０００７】
本発明は、画像表示手段を具えるユーザ端末と、該ユーザ端末と通信可能なサーバ装置とを有する情報処理システムであって、
前記サーバ装置は、前記ユーザ端末によって作成されるアカウント情報と、時間とともに増減する該アカウント情報に関係する関連情報と、前記アカウント情報の表示領域値を記憶するように構成され、
前記表示領域値は、前記関連情報の数値及び／又は内容によって加算及び減算されるように構成され、
前記アカウント情報の少なくとも１つが、前記画像表示手段により、前記ユーザ端末の画面領域に、前記表示領域値に応じた表示サイズを有する表示領域で表示されることを特徴とする情報処理システムによって前記課題を解決した。
【発明の効果】
【０００８】
本発明によれば、ユーザ端末の画面領域に、アカウント情報が、表示領域値に応じた表示サイズを有する表示領域で表示されるので、ＳＮＳにおける情報を俯瞰的に把握することができる。
【０００９】
表示領域は、種々の図形とすることができ、視覚的に把握し易いものとすることができる。
【００１０】
また、表示領域内又は近傍に表示領域値を表示させる構成とすれば、アカウント情報が有する関連情報の数を把握し易くすることができる。
【００１１】
さらに、表示領域に表示されているアカウント情報及び／又は関連情報以外のアカウント情報及び／又は関連情報の少なくとも一部が、表示領域外の副表示領域で表示される構成とすれば、アカウント情報や関連情報について、より多くの内容を把握し易くすることができる。ここで、副表示領域の表示サイズを表示領域の表示サイズよりも小さくすることで、見易くすることができる。
【００１２】
また、表示領域が可動である構成とすれば、ユーザが任意で表示領域をユーザ端末の画面領域内で又は画面領域外に移動させることができる。さらに、副表示領域を表示領域に追従するように構成させてもよい。
【００１３】
また、サーバ装置が、アカウント情報毎に、関連情報の数値や内容によって変動する色彩値を記憶するように構成し、その色彩値によって表示領域の色彩を決定する構成とすれば、関連情報の数値や内容を直感的に把握し易くなる。
【００１４】
サーバ装置が、一のアカウント情報の関連情報に関係する他のアカウント情報の関連情報の数値又は内容によって変動する距離値を記憶するように構成し、一のアカウント情報の表示領域と他のアカウント情報の表示領域が距離値に応じた位置に表示される構成とすれば、ユーザ情報間、投稿情報間、又はユーザ情報と投稿情報の関連性を把握し易くすることができる。
【００１５】
さらに、距離値の変動に応じて、一のアカウント情報の表示領域及び／又は他のアカウント情報の表示領域の位置が経時的に移動するように構成すれば、ユーザ情報間、投稿情報間、又はユーザ情報と投稿情報の関連性の変動を把握することができる。
【００１６】
また、サーバ装置が、アカウント情報毎又は複数のアカウント情報毎に有効期間を記憶するように構成し、有効期間の間のみ、そのアカウント情報に係る表示領域を表示するように構成すれば、時間制限付のＳＮＳのグループを作成することや、古い情報を自動的に削除することができる。
【図面の簡単な説明】
【００１７】
【図１】本発明の一実施形態システム構成図。
【図２】図１のサーバ装置の構成の一部を示す図。
【図３】図１のユーザ端末の構成の一部を示す図。
【図４】本発明により表示される画像の第一例を示すイメージ図。
【図５】本発明により表示される画像の第二例を示すイメージ図。
【図６】本発明により表示される画像の第三例を示すイメージ図。
【図７】本発明により表示される画像の第四例を示すイメージ図。
【図８】本発明により表示される画像の第五例を示すイメージ図。
【発明を実施するための形態】
【００１８】
以下、本発明の実施形態を図１〜８を参照して説明する。但し、本発明はこの実施形態に限定されるものではない。
【００１９】
本発明の一実施形態である情報処理システム１００は、図１に示されるように、複数のユーザ端末２００とサーバ装置３００で構成される。ユーザ端末２００とサーバ装置３００は、インターネットや専用回線等の通信回線を介して相互に通信可能である。サーバ装置３００は、公知のサーバを使用すればよく、ユーザ端末２００は、スマートフォン端末、タブレット端末、パーソナルコンピュータ等とすることができる。サーバ装置３００とユーザ端末２００は、それぞれ、演算処理装置や記録媒体、メモリ、入出力手段、通信手段等、これらが通常具える機能を有し、プログラムによって以下に説明する処理を実行する。また、サーバ装置３００は、公知のＳＮＳにおける機能を実現するように構成されている。
【００２０】
図２に示すとおり、サーバ装置３００は、少なくとも、情報受信手段３１０、記憶手段３２０、及び画像送信手段３３０を有し、図３に示すとおり、ユーザ端末２００は、少なくとも、画像受信手段２１０、画像表示手段２１５、情報送信手段２３０を具える。
【００２１】
図２のサーバ装置３００は、ユーザ端末２００の情報送信手段２３０によって送信されてくる情報を情報受信手段３１０によって受信し、記録媒体により構成される記憶手段３２０に記憶する。この情報には、ユーザＩＤ、ユーザ名、ユーザ画像等のユーザ情報及びユーザ情報から投稿された記事やコメント、画像、動画等の投稿情報を含むアカウント情報と、アカウント情報毎の表示領域値、アカウント情報に関係する関連情報が含まれる。ユーザ情報には、パスワード、性別、年齢、生年月日等を含ませてもよい。アカウント情報に関係する関連情報とは、ユーザ情報や投稿情報とリンクされている情報である。前者には、例えば、いわゆる友達やフォロワー等、ユーザ情報とリンクされている他のユーザ情報、ユーザ情報から投稿された記事やコメント、ユーザ情報が有するポイントや課金情報、ユーザ情報から他のユーザ情報又は投稿情報へのアクセス数、他のユーザ情報からユーザ情報又は投稿情報へのアクセス数、ユーザ情報に係るユーザ端末２００のウェブサイト閲覧履歴や検索エンジンでの検索履歴があり、後者には、投稿情報に対するユーザ情報からの評価・コメント、引用（いわゆるシェア）、アクセス数がある。
【００２２】
アカウント情報毎の表示領域値は、サーバ装置３００により算出され、記憶手段３２０に記憶される。表示領域値は、上記関連情報の数値や、その内容が解析され数値に変換された上で算出されるように構成されている。具体的には、ユーザ情報とリンクされている他のユーザ情報の数、ユーザ情報から投稿された投稿情報の数、ユーザ情報が有するポイントや課金情報の数、ユーザ情報から他のユーザ情報又は投稿情報へのアクセス数、他のユーザ情報からユーザ情報又は投稿情報へのアクセス数、投稿情報に対するユーザ情報からの評価・コメント・引用の数、アクセス数、或いは、これらの組合せを表示領域値とすることができる。これらの数は、時間とともに増減するものであるから、その増減に応じて、表示領域値を増減させるのがよい。
【００２３】
また、公知の文書解析技術を用いて、ユーザ情報に係るユーザ端末２００のウェブサイト閲覧履歴や検索エンジンでの検索履歴、投稿情報の内容、及び投稿情報に対するユーザ情報からのコメント（引用時のコメントを含む。）の内容を解析して、その結果に基づき表示領域値を増減させてもよい。例えば、特定のウェブサイト閲覧履歴や検索ワードの数によって表示領域値を加算することができる。また、サーバ装置３００に記憶されている所定のキーワードを含む投稿情報やコメントの場合、又は好意的なコメントの場合には、表示領域値を加算し、逆に、否定的な投稿情報やコメントの場合に表示領域値を減算させるということができる。
【００２４】
サーバ装置３００は、アカウント情報毎にその表示領域値に応じた表示サイズを有する表示領域を決定し、少なくとも１つのアカウント情報をその表示領域で表示した画像データを生成する。例えば、アカウント情報の内、ユーザ情報であるユーザ画像を１つの表示領域に表示させる、投稿情報の１つの一部又は全部を１つの表示領域に表示させる、或いは、これらの両方をそれぞれの表示領域で連結させて表示させるということができる。表示領域は、視覚的に把握し易くするため、円形や球体、四角形などの多角形等、各種の図形とすることができる。
【００２５】
サーバ装置３００が生成する画像データには、表示領域値の表示が含まれていてもよい。表示領域値は、アカウント情報の表示領域内に表示させてもよく、その表示領域の近傍に表示させてもよい。これにより、そのアカウント情報が有する関連情報の数を把握し易くすることができる。
【００２６】
また、画像データには、少なくとも１つの副表示領域を含ませることができる。副表示領域は、表示領域外に、その表示領域と直線等で連結された状態で、所定の表示サイズで表示される。副表示領域も表示領域と同様に、視覚的に把握し易くするため、円形や球体、四角形などの多角形等、各種の図形とすることができる。副表示領域に表示される内容は、表示領域に表示されているアカウント情報以外のアカウント情報及び／又は関連情報の少なくとも一部とすることができる。本構成とすれば、アカウント情報や関連情報について、より多くの内容を把握し易くすることができる。副表示領域毎にも表示領域と同様の表示領域値が記憶されるようにし、その表示領域値に基づく表示サイズで副表示領域を表示させるようにすることもできる。なお、副表示領域の表示サイズを表示領域の表示サイズよりも小さくすることで、見易くすることができる。また、図示しての説明は省略するが、副表示領域に連結されたさらなる副表示領域が表示されるようにしてもよい。さらなる副表示領域に表示される内容は、表示領域及び副表示領域に表示されているアカウント情報及び／又は関連情報以外のアカウント情報及び／又は関連情報の少なくとも一部とすることができる。
【００２７】
上述したように、サーバ装置３００によって生成された画像データは、サーバ装置３００の画像送信手段３３０によってユーザ端末２００に送信される。ユーザ端末２００は、画像受信手段２１０によって画像データを受信し、画像表示手段２１５によって、ユーザ端末２００の画面領域２１０（図４参照）に画像データを表示する。なお、画面領域２１０は、ユーザ端末２００が有する画面全体又は一部のアクティブウィンドウとすることができる。
【００２８】
図４に示されているように、ユーザ端末２００の画面領域２１０には、アカウント情報の内、ユーザ情報の１つであるユーザ画像が１つの円形の表示領域２２０で表示されている。表示領域２２０内には、１００という表示領域値２２２が表示されている。本実施例では、ユーザ画像が表示領域２２０に表示されているが、ユーザ画像以外のユーザ情報を表示してもよく、表示領域２２０をクリックやタップで選択することにより、内容を編集できるように構成することもできる。図４で示されている表示領域値２２２は、ユーザ情報の関連情報の内、ユーザ情報とリンクされている他のユーザ情報の数である。表示領域値２２２を、他の関連情報に応じたもの、例えば、ユーザ情報から投稿された投稿情報の数、ユーザ情報が有するポイントや課金情報の数、ユーザ情報から他のユーザ情報又は投稿情報へのアクセス数、他のユーザ情報からユーザ情報又は投稿情報へのアクセス数、投稿情報に対するユーザ情報からの評価・コメント・引用の数、アクセス数、ユーザ情報に係るユーザ端末２００のウェブサイト閲覧履歴や検索エンジンでの検索履歴、投稿情報の内容、及び投稿情報に対する他のユーザ情報からのコメントの内容の解析に基づく数値、或いは、これらの組合せとして、これらを相互に切り替えられるようにしてもよい。表示領域値２２２が変動した場合、その変動に応じて、表示領域２２０の表示サイズ、すなわち、円形の径が変更されて表示される。本構成とすることで、アカウント情報が関連情報に応じて、それぞれの表示サイズで表示されるため、ＳＮＳにおける情報を俯瞰的に把握することができるようになる。
【００２９】
画面領域２１０には、表示領域２２０よりも小さな表示サイズの円形の副表示領域２３０が複数表示されている。副表示領域２３０は、表示領域２２０外に、表示領域２２０と直線状の連結部２４０で連結されている。副表示領域２３０には、表示領域２２０に表示されているアカウント情報以外のアカウント情報及び／又は関連情報の少なくとも一部が表示される。本実施例では、ユーザ情報とリンクされている他のユーザ情報と、ユーザ情報から投稿された記事やコメントが表示されている。副表示領域２３０は、表示領域２２０をクリックやタップで選択することにより、表示・非表示を切り替えられるようにしてもよい。このように、副表示領域２３０を表示させることにより、アカウント情報や関連情報について、より多くの内容を把握し易くすることができる。なお、連結部２４０は曲線など、他の態様であってもよい。
【００３０】
ここで、サーバ装置３００の記憶手段３２０にアカウント情報毎の色彩値が記憶され、色彩値によって表示領域２２０の色彩が決定されるように構成してもよい。色彩値は、関連情報の数値又は内容によって変動するように構成される。例えば、関連情報の数値、すなわち、ユーザ情報とリンクされている他のユーザ情報の数、ユーザ情報から投稿された投稿情報の数、ユーザ情報が有するポイントや課金情報の数、ユーザ情報から他のユーザ情報又は投稿情報へのアクセス数、他のユーザ情報からユーザ情報又は投稿情報へのアクセス数、投稿情報に対する他のユーザ情報からの評価・コメント・引用の数、アクセス数、或いは、これらの組合せによる数値と色彩値を連動させ、色彩値が高い程、表示領域２２０の色を濃くし、色彩値が低い程、表示領域２２０の色を薄くすることができる。また、ユーザ情報に係るユーザ端末２００のウェブサイト閲覧履歴や検索エンジンでの検索履歴、投稿情報の内容、及び投稿情報に対する他のユーザ情報からのコメント（引用時のコメントを含む。）の内容を解析して、その結果に基づき色彩値を増減させてもよい。例えば、肯定的な投稿情報やコメントの場合には、表示領域２２０の色を暖色系の色とし、逆に、否定的な投稿情報やコメントの場合に表示領域２２０の色を寒色系の色とすることができる。また、投稿情報の内容、及び投稿情報に対する他のユーザ情報からのコメント（引用時のコメントを含む。）の内容が、国やスポーツチームなど、特定の色で表すことができるものである場合、表示領域２２０をその色で表示させるようにしてもよい。色彩値によって変更される表示領域２２０の色は、一色に限らず、多色であってもよい。本構成とすることで、関連情報の数値や内容を直感的に把握し易くなる。なお、色彩値と表示領域値は、一致している必要はない。
【００３１】
また、画面領域２１０には、メニューアイコン２５０が表示されている。メニューアイコン２５０をクリックやタップで選択し、展開することで、ユーザがユーザ情報や投稿情報を含むアカウント情報を追加・修正・削除できるように構成されている。また、表示領域２２０や副表示領域２３０に表示させる内容を選択できるようにしてもよい。このような機能は、メニューアイコン２５０を設けずに、表示領域２２０又は副表示領域２３０をクリックやタップで選択することにより実行できるように構成することも可能である。
【００３２】
図５に示されているように、画面領域２１０には、複数の表示領域、例えば、表示領域２２０と表示領域２２１を連結させて表示させることもできる。表示領域２２０，２２１の構成は、基本的には、図４の実施例と同様である。表示領域２２０には、アカウント情報の内、ユーザ情報であるユーザ画像が表示され、表示領域２２１には、投稿情報の内、１つの記事やコメントが表示されている。また、表示領域２２１内には、投稿情報に対する他のユーザ情報からの評価・コメント・引用の数の合算である表示領域値２２２が表示されている。表示領域値２２２の近傍には、表示領域値２２２に応じた表示領域値アイコン２２３が表示されており、表示領域値２２２が何を表しているかが分かり易いようにされている。副表示領域２３０や連結部２４０は、図４の実施例と同様であるため、説明を省略する。
【００３３】
図６に示すように、画面領域２１０には、一のユーザの表示領域２２０，２２１の他に、他のユーザの表示領域２２０Ａ〜２２０Ｅを同時に表示させるのがよい。また、広告主ユーザの表示領域２７０を表示させることも可能である。他のユーザの表示領域２２０Ａ〜２２０Ｅの構成は、図５で示す表示領域２２０，２２１と同様である。広告主ユーザの表示領域２７０は、広告主ユーザ情報が有するポイントや課金情報の数、他のユーザ情報に係るユーザ端末２００のウェブサイト閲覧履歴や検索エンジンでの検索履歴、投稿情報の内容、及び投稿情報に対する他のユーザ情報からのコメントの内容を解析して、広告主ユーザが有するキーワード等のテキスト情報と一致するか否かによって表示領域値が増減し、表示サイズが変動するように構成されている。
【００３４】
ここで、表示領域２２０，２２１，２２０Ａ〜２２０Ｅ，２７０のそれぞれの表示領域値が、各ユーザ情報とリンクされている他のユーザ情報の数、各ユーザ情報から投稿された投稿情報の数、各ユーザ情報が有するポイントや課金情報の数、又は各ユーザ情報の投稿情報に対するユーザ情報からの評価・コメント・引用の数、アクセス数、或いは、これらの組合せによって算出されており、表示領域２２０，２２１，２２０Ａ〜２２０Ｅ，２７０に係るいずれのアカウント情報においても、各表示領域値が共通している場合は、表示領域２２０，２２１，２２０Ａ〜２２０Ｅ，２７０に係るアカウント情報のいずれの画面領域においても、表示領域２２０，２２１，２２０Ａ〜２２０Ｅ，２７０は同様に表示される。他方で、表示領域２２０，２２１，２２０Ａ〜２２０Ｅ，２７０のそれぞれの表示領域値が、ユーザ情報から他のユーザ情報又は投稿情報へのアクセス数、他のユーザ情報からユーザ情報又は投稿情報へのアクセス数、ユーザ情報に係るユーザ端末２００のウェブサイト閲覧履歴や検索エンジンでの検索履歴、投稿情報の内容、及び投稿情報に対する他のユーザ情報からのコメントの内容の解析に基づく数値、或いは、これらの組合せによって算出されており、表示領域２２０，２２１，２２０Ａ〜２２０Ｅ，２７０に係るアカウント情報によって、各表示領域値が異なる場合もあり得る。この場合は、表示領域２２０，２２１，２２０Ａ〜２２０Ｅ，２７０に係るアカウント情報の画面領域毎に、表示領域２２０，２２１，２２０Ａ〜２２０Ｅ，２７０の表示サイズが異なる。
【００３５】
なお、表示領域２２０，２２１，２２０Ａ〜２２０Ｅ，２７０を全体的に縮小させて表示させ、他の表示領域（図示省略）を表示させるようにしてもよく、逆に拡大させて表示させるようにしてもよい。表示領域２２０，２２１，２２０Ａ〜２２０Ｅ，２７０を全体的にスライドさせて、他の表示領域（図示省略）を表示させる構成とすることも可能である。
【００３６】
表示領域２２０，２２１，２２０Ａ〜２２０Ｅ，２７０は、各ユーザの投稿情報の投稿時間に応じて、画面領域２１０の上方から下方に向けて、時系列に沿って表示させることができる。図６の場合、最新の表示領域２２０Ｅが画面の下方に表示されることになる。このとき、他の表示領域２２０，２２１，２２０Ａ〜２２０Ｄが上方にスライドするように構成してもよい。広告主ユーザの表示領域２７０や、ユーザが選択した特定の表示領域のみをスライドさせないようにしてもよい。この他、各ユーザの投稿情報の投稿時間に応じて、画面領域２１０の下方から上方に向けて、或いは、中央から放射状に広がるように、時系列に沿って表示させることもできる。また、図示は省略するが、発射装置のようなものを表示させて、各ユーザの投稿情報が投稿されたときに、表示領域２２０，２２１，２２０Ａ〜２２０Ｅ，２７０を発射装置から発射させて画面領域２１０に表示させるようにしてもよい。
【００３７】
ここで、表示領域２２０，２２１，２２０Ａ〜２２０Ｅ，２７０のそれぞれを可動にすることができる。具体的には、表示領域２２０，２２１，２２０Ａ〜２２０Ｅ，２７０のそれぞれをクリック又はタップ等で選択したまま、画面領域２１０内で、或いは、画面領域２１０外に動かせるように構成することができる。本構成とすれば、ユーザが任意で表示領域２２０，２２１，２２０Ａ〜２２０Ｅ，２７０を画面領域２１０内外に移動させることができるので、ユーザが表示させたい情報を画面領域２１０内の任意の位置に表示させることができる。なお、表示領域２２０，２２１，２２０Ａ〜２２０Ｅ，２７０のいずれかを動かしたとき、空いたスペースに他の表示領域２２０，２２１，２２０Ａ〜２２０Ｅ，２７０が相対的に移動するように構成してもよい。
【００３８】
図６に示す表示領域２２０，２２１の状態から、副表示領域２３０を表示させた状態を図７に示す。副表示領域２３０は、表示領域２２０又は表示領域２２１をクリックやタップで選択することにより、表示・非表示を切り替えられるようにしてもよい。副表示領域２３０が表示されたとき、表示領域２２０Ａ〜２２０Ｅ，２７０が押し出されるようにして移動するように構成することができる。なお、副表示領域２３０が表示された状態で、表示領域２２０，２２１を移動させた場合、副表示領域２３０が表示領域２２０，２２１に追従して可動するように構成すればよい。なお、表示領域２２０Ａ〜２２０Ｅ，２７０が副表示領域を有する場合も同様である。
【００３９】
また、サーバ装置３００の記憶手段３２０が、図６に示されている表示領域２２０，２２１，２２０Ａ〜２２０Ｅ，２７０のそれぞれのアカウント情報毎に距離値を記憶するように構成することができる。距離値は、一のアカウント情報の関連情報に関係する他のアカウント情報の関連情報の数値又は内容によって変動するように構成される。例えば、一のユーザ情報と他のユーザ情報がリンクされているか否か、一のユーザ情報から他のユーザ情報又は投稿情報へのアクセス数、他のユーザ情報から一のユーザ情報又は投稿情報へのアクセス数、投稿情報に対するユーザ情報からの評価・コメント・引用の数、アクセス数、或いは、これらの組合せによる数値と距離値を連動させることができる。また、一のユーザ情報及び他のユーザ情報に係るそれぞれのユーザ端末２００のウェブサイト閲覧履歴や検索エンジンでの検索履歴、投稿情報の内容を解析して、同じキーワードを含む場合など、関連性が認められた場合に距離値を変動させてもよい。また、一のユーザ情報の投稿情報に対する他のユーザ情報からの評価・コメント（引用時のコメントを含む。）の内容を解析して、その結果に基づき距離値を変動させてもよい。そして、表示領域２２０，２２１，２２０Ａ〜２２０Ｅ，２７０を距離値に応じた位置に表示させる。本構成とすることで、ユーザ情報間、投稿情報間、又はユーザ情報と投稿情報の関連性を把握し易くすることができる。なお、距離値と表示領域値は、一致している必要はない。
【００４０】
以下に、具体的な例を表示領域２２０，２２１に係るユーザ情報で説明する。まず、距離値の基準値を０と定めておき、表示領域２２０，２２１に係る一のユーザ情報と表示領域２２０Ｂに係る他のユーザ情報がリンクされているとき、表示領域２２０，２２１に係るユーザ情報が、表示領域２２０Ｂに係る他のユーザ情報又は投稿情報にアクセスしたことがあるとき、逆に、表示領域２２０Ｂに係る他のユーザ情報が表示領域２２０，２２１に係るユーザ情報又は投稿情報にアクセスしたことがあるとき、表示領域２２１に係る投稿情報に対して表示領域２２０Ｂに係る他のユーザ情報からの評価・コメント・引用、アクセスがあったとき、或いはこれらの組合せによって、表示領域２２０，２２１に係るアカウント情報の表示領域２２０Ｂに係るアカウント情報に対する距離値を加算して、距離値が０である表示領域２２０Ａ，２２０Ｃ〜Ｅに比べて表示領域２２０，２２１と表示領域２２０Ｂを近い位置に表示するように構成することができる。
【００４１】
また、表示領域２２０，２２１に係る一のユーザ情報と表示領域２２０Ｂに係る他のユーザ情報に係るそれぞれのユーザ端末２００のウェブサイト閲覧履歴や検索エンジンでの検索履歴、投稿情報の内容を解析して、同じキーワードを含む場合など、関連性が認められた場合に、表示領域２２０，２２１に係るアカウント情報の表示領域２２０Ｂに係るアカウント情報に対する距離値を加算して、距離値が０である表示領域２２０Ａ，２２０Ｃ〜Ｅに比べて表示領域２２０，２２１と表示領域２２０Ｂを近い位置に表示するように構成することができる。表示領域２２１に係る一のユーザ情報の投稿情報に対して表示領域２２０Ｂに係る他のユーザ情報からの好評価・肯定的コメント・引用があったとき、逆に、表示領域２２０Ｂに係る他のユーザ情報の投稿情報に対して表示領域２２０，２２１に係る一のユーザ情報からの好評価・肯定的コメント・引用があったときにも、表示領域２２０，２２１に係るアカウント情報の表示領域２２０Ｂに係るアカウント情報に対する距離値を加算することができる。一方で、表示領域２２１に係る一のユーザ情報の投稿情報に対して表示領域２２０Ｂに係る他のユーザ情報からの悪評価・否定的コメント・引用があったとき、逆に、表示領域２２０Ｂに係る他のユーザ情報の投稿情報に対して表示領域２２０，２２１に係る一のユーザ情報からの悪評価・否定的コメント・引用があったときには、表示領域２２０，２２１に係る一のアカウント情報の表示領域２２０Ｂに係るアカウント情報に対する距離値を減算して、距離値が０である表示領域２２０Ａ，２２０Ｃ〜Ｅに比べて表示領域２２０，２２１と表示領域２２０Ｂを遠い位置に表示するように構成することができる。上述した距離値の加算・減算は、それぞれを組合せて実行されてもよい。
【００４２】
ここで、表示領域２２０，２２１に係る一のユーザ情報に対し、他のユーザ情報に当たる広告主ユーザの表示領域２７０については、広告主ユーザ情報が有するポイントや課金情報の数、又は一のユーザ情報に係るユーザ端末２００のウェブサイト閲覧履歴や検索エンジンでの検索履歴、投稿情報の内容、若しくは投稿情報に対する一のユーザ情報からのコメントの内容を解析して、広告主ユーザが有するキーワード等のテキスト情報と一致した場合に距離値を加算し、その距離値に応じた位置に表示されるように構成されている。また、広告主ユーザが設定した性別又は年齢と、表示領域２２０，２２１に係る一のユーザ情報が有する性別又は年齢が一致した場合に、距離値を加算させることもできる。
【００４３】
なお、表示領域２２０，２２１，２２０Ａ〜２２０Ｅ，２７０に係るアカウント情報によって、互いの距離値は異なる場合があり、この場合は、表示領域２２０，２２１，２２０Ａ〜２２０Ｅ，２７０に係るアカウント情報の画面領域毎に、表示領域２２０，２２１，２２０Ａ〜２２０Ｅ，２７０が表示される位置は異なる。
【００４４】
また、距離値の変動に応じて、一のアカウント情報の表示領域及び／又は他のアカウント情報の表示領域の位置が経時的に移動するように構成することもできる。前述した距離値は、算出する時点によって異なり得るものである。そこで、距離値を常時算出するようにし、距離値の変動に応じて、図８に示すように、他のアカウント情報の表示領域２２０Ｃ，２２０Ｄ，２７０の位置を一のアカウント情報の表示領域２２０，２２１に対して近付く又は遠ざかるように、経時的に移動させるようにすることができる。このとき、一のアカウント情報の表示領域２２０，２２１の位置を相対的に移動させるように構成してもよい。本構成とすることで、ユーザ情報間、投稿情報間、又はユーザ情報と投稿情報の関連性の変動を把握することができる。
【００４５】
また、サーバ装置３００の記憶手段３２０が、図６に示されている表示領域２２０，２２１，２２０Ａ〜２２０Ｅ，２７０のそれぞれのアカウント情報毎に有効期間を記憶するように構成することができる。この場合、アカウント情報毎の有効期間の間のみ、そのアカウント情報に係る表示領域２２０，２２１，２２０Ａ〜２２０Ｅ，２７０が表示され、有効期間を過ぎると、表示領域２２０，２２１，２２０Ａ〜２２０Ｅ，２７０が削除される。本構成とすることで、時間制限付のＳＮＳのグループを作成することや、古い情報を自動的に削除することができる。なお、特定の複数アカウント情報で構成されるトークルームやチャットグループ等のグループスレッドを作成した場合、そのグループスレッドに有効期間を設定してもよい。子の場合、グループスレッドの有効期間の間のみ、そのグループスレッドに参加しているアカウント情報の表示領域が表示され、有効期間を過ぎると、グループスレッドとともに、そのグループスレッドに参加しているアカウント情報の表示領域も削除される。
【００４６】
以上、表示領域２２０，２２１，２２０Ａ〜２２０Ｅ，２７０について、二次元で表示される態様を説明したが、これらを三次元で表示させることも可能である。
【００４７】
本発明は、上述した情報処理方法、又はこの方法をコンピュータに実行させるプログラムで実現することができる。具体的には、図１のサーバ装置３００に、ユーザ端末２００によって作成されるアカウント情報と、アカウント情報に関係する関連情報と、アカウント情報の表示領域値を記憶させ、表示領域値を、関連情報の数値及び／又は内容によって変動させ、アカウント情報の少なくとも１つを、ユーザ端末２００の画像表示手段２１５により、ユーザ端末２００の画面領域に、表示領域値に応じた表示サイズを有する表示領域で表示させる情報処理方法、又はこの方法を実行させるプログラムによって実現することができる。
【００４８】
また、サーバ装置３００に、ユーザ端末２００によって作成されるアカウント情報と、アカウント情報に関係する関連情報と、アカウント情報の色彩値を記憶させ、アカウント情報の少なくとも１つを、ユーザ端末２００の画像表示手段２１５により、ユーザ端末２００の画面領域に所定の表示領域で表示させ、色彩値を、関連情報の数値及び／又は内容によって変動させ、色彩値によって表示領域の色彩が決定する情報処理方法、又はこの方法を実行させるプログラムとしてもよい。
【００４９】
また、サーバ装置３００に、ユーザ端末２００によって作成される複数のアカウント情報と、各アカウント情報に関係する関連情報と、アカウント情報毎の距離値を記憶させ、複数のアカウント情報を、ユーザ端末２００の画像表示手段２１５により、ユーザ端末２００の画面領域に所定の表示領域で表示させ、距離値を、一のアカウント情報の関連情報に関係する他のアカウント情報の関連情報の数値又は内容によって変動させ、一のアカウント情報の表示領域と他のアカウント情報の表示領域を距離値に応じた位置に表示させる情報処理方法、又はこの方法を実行させるプログラムとしてもよい。
【００５０】
また、サーバ装置３００に、ユーザ端末２００によって作成される複数のアカウント情報と、各アカウント情報に関係する関連情報と、アカウント情報の有効期間を記憶させ、アカウント情報の少なくとも１つを、ユーザ端末２００の画像表示手段２１５により、ユーザ端末２００の画面領域に所定の表示領域で表示させ、有効期間の間のみ、アカウント情報に係る表示領域を表示させる情報処理方法、又はこの方法を実行させるプログラムとしてもよい。
【００５１】
以上に説明した本発明の情報処理システム等によれば、ＳＮＳにおける情報を俯瞰的に把握することができる。
【符号の説明】
【００５２】
１００    情報処理システム
２００    ユーザ端末
２１０    画面領域
２１５    画像表示手段
２２０，２２１，２２０Ａ〜２２０Ｅ，２７０  表示領域
２２２    表示領域値
３００    サーバ装置
【要約】      （修正有）【課題】ＳＮＳにおける情報を俯瞰的に把握することができる情報処理システム等を提供する。【解決手段】情報処理システム１００は、サーバ装置３００に、ユーザ端末２００によって作成されるアカウント情報と、アカウント情報に関係する関連情報と、アカウント情報の表示領域値を記憶させ、表示領域値を、関連情報の数値及び／又は内容によって変動させ、アカウント情報の少なくとも１つを、ユーザ端末２００が有する画像表示手段により、ユーザ端末２００の画面領域に、表示領域値に応じた表示サイズを有する表示領域で表示させる。【選択図】図１【図１】
0006879407.tif 000002
【図２】
0006879407.tif 000003
【図３】
0006879407.tif 000004
【図４】
0006879407.tif 000005
【図５】
0006879407.tif 000006
【図６】
0006879407.tif 000007
【図７】
0006879407.tif 000008
【図８】
0006879407.tif 000009